(57)【特許請求の範囲】
【請求項１】
ネットワーク機器から指示されるチャネル状態情報ＣＳＩフィードバック用のＣＳＩフィードバック配置群を受信することと、
前記ＣＳＩフィードバック配置群に対応するＣＳＩフィードバック方式を確定することと、
前記確定したＣＳＩフィードバック方式に基づいてＣＳＩ測定とフィードバックを行うこととを含み、
前記ＣＳＩフィードバック方式は、
前記ＣＳＩフィードバック配置群のうちの全てのＣＳＩフィードバック配置に基づいた測定によるＣＳＩをフィードバックする第１フィードバック方式と、
前記ＣＳＩフィードバック配置群から最適なＣＳＩフィードバック配置を選択し、前記ＣＳＩフィードバック配置群のうちの最適なＣＳＩフィードバック配置に基づいた測定によるＣＳＩおよび前記最適なＣＳＩフィードバック配置の前記ＣＳＩフィードバック配置群における位置情報をフィードバックする第２フィードバック方式とを含み、
前記ＣＳＩフィードバック配置群から最適なＣＳＩフィードバック配置を選択することは、
前記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、前記ＣＳＩフィードバック配置群のうちの最適なＣＳＩフィードバック配置とすること、または、
前記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、前記ＣＳＩフィードバック配置群のうちの最適なＣＳＩフィードバック配置とすること、または、
前記ＣＳＩフィードバック配置群のうちの各ＣＳＩフィードバック配置に対し、ＣＳＩ測定を行い、前記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、前記ＣＳＩフィードバック配置群のうちの最適なＣＳＩフィードバック配置とすることを含むことを特徴とするチャネル状態情報フィードバック方法。
【請求項２】
前記最適なＣＳＩフィードバック配置の前記ＣＳＩフィードバック配置群における位置情報は、具体的に、
最適なＣＳＩフィードバック配置の前記ＣＳＩフィードバック配置群におけるインデックス、
または、
最適なＣＳＩフィードバック配置の前記ＣＳＩフィードバック配置群の位置系列における対応位置のビット値であり、
前記ＣＳＩフィードバック配置群のうちの各ＣＳＩフィードバック配置は、前記位置系列における１つの位置に対応することを特徴とする請求項１に記載のチャネル状態情報フィードバック方法。
【請求項３】
前記確定したＣＳＩフィードバック方式が第２フィードバック方式であり、かつフィードバックされる前記ＣＳＩフィードバック配置群のうちの最適なＣＳＩフィードバック配置に基づいた測定によるＣＳＩにランク指標ＲＩが含まれると、前記位置情報のフィードバック周期は、前記ＲＩのフィードバック周期のＮ（Ｎは正整数である）倍であり、かつ前記位置情報の物理上りリンク制御チャネルＰＵＣＣＨリソース位置は、前記ＲＩのＰＵＣＣＨリソース位置とは同一であり、
前記位置情報と前記ＲＩは、同一サブフレームでフィードバックされる場合、ジョイント符号化またはカスケーディングを経てフィードバックされること、或は、
前記位置情報と前記ＲＩが同一サブフレームでフィードバックされる場合、前記ＲＩは、前記同一のサブフレームでフィードバックされる前記位置情報に対応する最適なＣＳＩフィードバック配置に基づいて測定をして得られること、或は、
前記位置情報と前記ＲＩが異なるサブフレームでフィードバックされる場合、フィードバックされるＲＩは、最近フィードバックされる位置情報に対応する最適なＣＳＩフィードバック配置に基づいてＣＳＩ測定をして得られることを特徴とする請求項１に記載のチャネル状態情報フィードバック方法。
【請求項４】
前記ＣＳＩフィードバック配置群に対応するＣＳＩフィードバック方式を確定することは、
前記ＣＳＩフィードバック配置群に含まれるＣＳＩフィードバック配置の数に基づいて、前記ＣＳＩフィードバック配置群に対応するＣＳＩフィードバック方式を確定すること、
または、
前記ＣＳＩフィードバック配置群のうち、ＣＳＩフィードバックが行われるべくＣＳＩフィードバック配置の数に基づいて、前記ＣＳＩフィードバック配置群に対応するＣＳＩフィードバック方式を確定すること、
または、
受信した非周期的ＣＳＩフィードバックのトリガーシグナリングに含まれるフィードバック方式指示情報に基づいて、前記ＣＳＩフィードバック配置群に対応するＣＳＩフィードバック方式を確定すること、
または、
各々にフィードバック方式指示情報が関連付けられる前記ＣＳＩフィードバック配置群に対応するフィードバック方式指示情報に基づいて、前記ＣＳＩフィードバック配置群に対応するＣＳＩフィードバック方式を確定すること、
または、
前記ＣＳＩフィードバック配置群の、周期的ＣＳＩフィードバックと非周期的ＣＳＩフィードバックを含むフィードバックモードに基づいて、前記ＣＳＩフィードバック配置群に対応するＣＳＩフィードバック方式を確定することを含むことを特徴とする請求項１に記載のチャネル状態情報フィードバック方法。
【請求項５】
前記ＣＳＩフィードバック配置群に含まれるＣＳＩフィードバック配置の数に基づいて、前記ＣＳＩフィードバック配置群に対応するＣＳＩフィードバック方式を確定することは、
前記ＣＳＩフィードバック配置群に１つのＣＳＩフィードバック配置が含まれる場合、前記ＣＳＩフィードバック配置群に対し、前記ＣＳＩフィードバック配置群のうちの全てのＣＳＩフィードバック配置に対応するＣＳＩをフィードバックする第１フィードバック方式の採用を確定すること、
または、
前記ＣＳＩフィードバック配置群に複数のＣＳＩフィードバック配置が含まれる場合、前記ＣＳＩフィードバック配置群に対し、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式の採用を確定することを含むことを特徴とする請求項４に記載のチャネル状態情報フィードバック方法。
【請求項６】
前記ＣＳＩフィードバック配置群のうち、ＣＳＩフィードバックが行われるべくＣＳＩフィードバック配置の数に基づいて、前記ＣＳＩフィードバック配置群に対応するＣＳＩフィードバック方式を確定することは、
前記ＣＳＩフィードバック配置群に含まれる全てのＣＳＩフィードバック配置に対するＣＳＩフィードバックが必要である場合、前記ＣＳＩフィードバック配置群に対し、前記ＣＳＩフィードバック配置群のうちの全てのＣＳＩフィードバック配置に対応するＣＳＩをフィードバックする第１フィードバック方式の採用を確定し、
それ以外の場合、前記ＣＳＩフィードバック配置群に対し、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式の採用を確定することを含むことを特徴とする請求項４に記載のチャネル状態情報フィードバック方法。
【請求項７】
前記ＣＳＩフィードバック配置群のフィードバックモードに基づいて、前記ＣＳＩフィードバック配置群に対応するＣＳＩフィードバック方式を確定することは、
前記ＣＳＩフィードバック配置群のフィードバックモードが周期的ＣＳＩフィードバックである場合、前記ＣＳＩフィードバック配置群に対応するＣＳＩフィードバック方式として、前記ＣＳＩフィードバック配置群のうちの全てのＣＳＩフィードバック配置に対応するＣＳＩをフィードバックする第１フィードバック方式であると確定すること、
または、
前記ＣＳＩフィードバック配置群のフィードバックモードが非周期的ＣＳＩフィードバックである場合、前記ＣＳＩフィードバック配置群に対応するＣＳＩフィードバック方式として、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式であると確定することを含むことを特徴とする請求項４に記載のチャネル状態情報フィードバック方法。
【請求項８】
ネットワーク機器から指示されるチャネル状態情報ＣＳＩフィードバック用のＣＳＩフィードバック配置群を受信するための受信ユニットと、
前記ＣＳＩフィードバック配置群に対応するＣＳＩフィードバック方式を確定するための確定ユニットと、
前記確定したＣＳＩフィードバック方式に基づいてＣＳＩ測定とフィードバックを行うための処理ユニットとを含み、
前記ＣＳＩフィードバック方式は、
前記ＣＳＩフィードバック配置群のうちの全てのＣＳＩフィードバック配置に基づいた測定によるＣＳＩをフィードバックする第１フィードバック方式と、
前記ＣＳＩフィードバック配置群から最適なＣＳＩフィードバック配置を選択し、前記ＣＳＩフィードバック配置群のうちの最適なＣＳＩフィードバック配置に基づいた測定によるＣＳＩおよび前記最適なＣＳＩフィードバック配置の前記ＣＳＩフィードバック配置群における位置情報をフィードバックする第２フィードバック方式とを含み、
前記処理ユニットは、
前記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、前記ＣＳＩフィードバック配置群のうちの最適なＣＳＩフィードバック配置とし、または、
前記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、前記ＣＳＩフィードバック配置群のうちの最適なＣＳＩフィードバック配置とし、または、
前記ＣＳＩフィードバック配置群のうちの各ＣＳＩフィードバック配置に対し、ＣＳＩ測定を行い、前記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、前記ＣＳＩフィードバック配置群のうちの最適なＣＳＩフィードバック配置とするように構成されることを特徴とする端末。
【請求項９】
前記最適なＣＳＩフィードバック配置の前記ＣＳＩフィードバック配置群における位置情報は、具体的に、
最適なＣＳＩフィードバック配置の前記ＣＳＩフィードバック配置群におけるインデックスであり、
または、
最適なＣＳＩフィードバック配置の前記ＣＳＩフィードバック配置群の位置系列における対応位置のビット値であり、
前記ＣＳＩフィードバック配置群のうちの各ＣＳＩフィードバック配置は、前記位置系列における１つの位置に対応することを特徴とする請求項８に記載の端末。
【請求項１０】
前記確定したＣＳＩフィードバック方式が第２フィードバック方式であり、かつフィードバックされる前記ＣＳＩフィードバック配置群のうちの最適なＣＳＩフィードバック配置に基づいた測定によるＣＳＩにランク指標ＲＩが含まれると、前記位置情報のフィードバック周期は、前記ＲＩのフィードバック周期のＮ（Ｎは正整数である）倍であり、かつ前記位置情報の物理上りリンク制御チャネルＰＵＣＣＨリソース位置は、前記ＲＩのＰＵＣＣＨリソース位置とは同一であり、
前記位置情報と前記ＲＩは、同一サブフレームでフィードバックされる場合、ジョイント符号化またはカスケーディングを経てフィードバックされること、或は、
前記位置情報と前記ＲＩが同一サブフレームでフィードバックされる場合、前記ＲＩは、前記同一のサブフレームでフィードバックされる前記位置情報に対応する最適なＣＳＩフィードバック配置に基づいて測定をして得られること、或は、
前記位置情報と前記ＲＩが異なるサブフレームでフィードバックされる場合、フィードバックされるＲＩは、最近フィードバックされる位置情報に対応する最適なＣＳＩフィードバック配置に基づいてＣＳＩ測定をして得られることを特徴とする請求項８に記載の端末。
【請求項１１】
前記確定ユニットは、具体的に、
前記ＣＳＩフィードバック配置群に含まれるＣＳＩフィードバック配置の数に基づいて、前記ＣＳＩフィードバック配置群に対応するＣＳＩフィードバック方式を確定し、
または、
前記ＣＳＩフィードバック配置群のうち、ＣＳＩフィードバックが行われるべくＣＳＩフィードバック配置の数に基づいて、前記ＣＳＩフィードバック配置群に対応するＣＳＩフィードバック方式を確定し、
または、
受信した非周期的ＣＳＩフィードバックのトリガーシグナリングに含まれるフィードバック方式指示情報に基づいて、前記ＣＳＩフィードバック配置群に対応するＣＳＩフィードバック方式を確定し、
または、
各々にフィードバック方式指示情報が関連付けられる前記ＣＳＩフィードバック配置群に対応するフィードバック方式指示情報に基づいて、前記ＣＳＩフィードバック配置群に対応するＣＳＩフィードバック方式を確定し、
または、
前記ＣＳＩフィードバック配置群の、周期的ＣＳＩフィードバックと非周期的ＣＳＩフィードバックを含むフィードバックモードに基づいて、前記ＣＳＩフィードバック配置群に対応するＣＳＩフィードバック方式を確定することを特徴とする請求項８に記載の端末。
【請求項１２】
前記確定ユニットは、具体的に、
前記ＣＳＩフィードバック配置群に１つのＣＳＩフィードバック配置が含まれる場合、前記ＣＳＩフィードバック配置群に対し、前記ＣＳＩフィードバック配置群のうちの全てのＣＳＩフィードバック配置に対応するＣＳＩをフィードバックする第１フィードバック方式の採用を確定し、
または、
前記ＣＳＩフィードバック配置群に複数のＣＳＩフィードバック配置が含まれる場合、前記ＣＳＩフィードバック配置群に対し、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式の採用を確定することを特徴とする請求項１１に記載の端末。
【請求項１３】
前記確定ユニットは、具体的に、
前記ＣＳＩフィードバック配置群に含まれる全てのＣＳＩフィードバック配置に対するＣＳＩフィードバックが必要である場合、前記ＣＳＩフィードバック配置群に対し、前記ＣＳＩフィードバック配置群のうちの全てのＣＳＩフィードバック配置に対応するＣＳＩをフィードバックする第１フィードバック方式の採用を確定し、
それ以外の場合、前記ＣＳＩフィードバック配置群に対し、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式の採用を確定し、
または、
前記ＣＳＩフィードバック配置群のフィードバックモードが周期的ＣＳＩフィードバックである場合、前記ＣＳＩフィードバック配置群に対応するＣＳＩフィードバック方式として、前記ＣＳＩフィードバック配置群のうちの全てのＣＳＩフィードバック配置に対応するＣＳＩをフィードバックする第１フィードバック方式であると確定し、
または、
前記ＣＳＩフィードバック配置群のフィードバックモードが非周期的ＣＳＩフィードバックである場合、前記ＣＳＩフィードバック配置群に対応するＣＳＩフィードバック方式として、前記ＣＳＩフィードバック配置群のうちの最適なＣＳＩフィードバック配置に対応するＣＳＩおよび前記最適なＣＳＩフィードバック配置の前記ＣＳＩフィードバック配置群における位置情報をフィードバックする第２フィードバック方式であると確定することを特徴とする請求項１１に記載の端末。
【発明の詳細な説明】
【技術分野】
【０００１】
本願は、２０１５年５月２１日に中国特許庁に提出された中国特許出願２０１５１０２６３１６１．４号、公開の名称が「チャネル状態情報フィードバック方法および端末」である出願と、２０１５年５月２８日に中国特許庁に提出された中国特許出願２０１５１０２８２９０２．３号、公開の名称が「チャネル状態情報フィードバック方法および端末」である出願の優先権を主張し、その全ての内容が援用により本願に取り込まれる。
【０００２】
本公開は、通信分野に関し、特にチャネル状態情報フィードバック方法および端末に関する。
【背景技術】
【０００３】
従来のセルラーシステムにおいて、ネットワーク機器（例えば基地局）のアンテナアレイは、図１ａに示す水平配列の偏波共用アンテナや図１ｂに示す水平配列のリニアアレイアンテナのように、通常、水平配列である。ネットワーク機器の送信側ビームは、水平方向のみで調整でき、垂直方向で一定の下方傾斜角度である。そのため、各種類のビームフォーミング／プリコーディング技術などは、いずれも水平方向のチャネル情報に基づいて行われる。事実上、無線信号が空間において三次元的に伝播されるため、下方傾斜角度が一定である方法では、システムの性能を最適化することができない。垂直方向のビーム調整は、セル間干渉の低減、システム性能の向上に非常に重要な意義を持つ。アンテナ技術の発展と伴い、業界では、例えば図１ｃに示す水平と垂直の二次元配列の偏波共用アンテナおよび図１ｄに示す水平と垂直の配列のリニアアレイアンテナのように、各アンテナ素子に対し独立に制御可能なアクティブアンテナが現れ、このようなアンテナアレイを採用することによって、ビームを垂直方向で動的に調整することが可能になる。
【０００４】
このような三次元アンテナアレイにおいて、ネットワーク機器の送信信号は、水平方向のみならず、垂直方向でも端末に対しフォーミングを行うことができる。ネットワーク機器が垂直方向のフォーミングベクトルを確定して垂直方向のビームを的確に端末に向かわせることによって最大のフォーミングゲインを取得するために、通常端末から垂直方向のチャネル状態情報（ＣＳＩ：Ｃｈａｎｎｅｌ  Ｓｔａｔｅ  Ｉｎｆｏｒｍａｔｉｏｎ）をフィードバックする必要がある。
【０００５】
ネットワーク機器がＦＤ−ＭＩＭＯ（Ｆｕｌｌ  Ｄｉｍｅｎｓｉｏｎ  Ｍｕｌｔｉ−Ｉｎｐｕｔ−Ｍｕｌｔｉ−Ｏｕｔｐｕｔ）をサポートし、すなわち、ＣＳＩビームフォーミング（ｂｅａｍｆｏｒｍｉｎｇ）の伝送方式をサポートするのであれば、ネットワーク機器が現在の最適なビーム情報を取得するには、端末から最適なＣＳＩフィードバック配置に対応するＣＳＩおよび上記ＣＳＩの位置情報をレポートする必要がある。一方、ネットワーク機器がＦＤ−ＭＩＭＯをサポートしない場合、端末は、配置されている全てのＣＳＩフィードバック配置に対応するＣＳＩをフィードバックする必要があり、かつ上記ＣＳＩの位置情報をレポートする必要がない。ＦＤ−ＭＩＭＯをサポートするために大量なアンテナがネットワーク機器に配置されているか否かは、端末にとって未知である。したがって、端末は、どの方式を選択してＣＳＩフィードバックを行うか確定することができない。
【０００６】
以上の記載をまとめると、端末が受信済みのＣＳＩフィードバック用情報に基づいてＣＳＩフィードバック方式を確定し、さらに確定したＣＳＩフィードバック方式に基づいてＣＳＩ測定とフィードバックを行うためのチャネル状態情報フィードバック方法および端末が特に求められている。
【発明の概要】
【発明が解決しようとする課題】
【０００７】
本公開の実施例は、端末が受信済みのＣＳＩフィードバック用情報に基づいてＣＳＩフィードバック方式を確定し、さらに確定したＣＳＩフィードバック方式に基づいてＣＳＩ測定とフィードバックを行うためのチャネル状態情報フィードバック方法および端末を提供する。
【課題を解決するための手段】
【０００８】
本公開の実施例は、ネットワーク機器から指示されるチャネル状態情報ＣＳＩフィードバック用のＣＳＩフィードバック配置群を受信することと、上記ＣＳＩフィードバック配置群に対応するＣＳＩフィードバック方式を確定することと、上記確定したＣＳＩフィードバック方式に基づいてＣＳＩ測定とフィードバックを行うこととを含むチャネル状態情報フィードバック方法を提供する。
【０００９】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【００１０】
任意選択的に、上記ＣＳＩフィードバック配置群から最適なＣＳＩフィードバック配置を選択することは、上記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とすること、または、上記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とすること、または、上記ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とすることを含む。
【００１１】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【００１２】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【００１３】
任意選択的に、上記位置情報と上記ＲＩは、同一サブフレームでフィードバックされる場合、ジョイント符号化またはカスケーディングを経てフィードバックされる。
【００１４】
任意選択的に、上記位置情報と上記ＲＩが同一サブフレームでフィードバックされる場合、上記ＲＩは、上記同一のサブフレームでフィードバックされる上記位置情報に対応する最適なＣＳＩフィードバック配置に基づいて測定をして得られる。
【００１５】
任意選択的に、上記位置情報と上記ＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【００１６】
任意選択的に、上記ＣＳＩフィードバック配置群に対応するＣＳＩフィードバック方式を確定することは、上記ＣＳＩフィードバック配置群に含まれるＣＳＩフィードバック配置の数に基づいて、上記ＣＳＩフィードバック配置群に対応するＣＳＩフィードバック方式を確定すること、または、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定すること、または、受信した非周期的ＣＳＩフィードバックのトリガーシグナリングに含まれるフィードバック方式指示情報に基づいて、上記ＣＳＩフィードバック配置群に対応するＣＳＩフィードバック方式を確定すること、または、各々にフィードバック方式指示情報が関連付けられる上記ＣＳＩフィードバック配置群に対応するフィードバック方式指示情報に基づいて、上記ＣＳＩフィードバック配置群に対応するＣＳＩフィードバック方式を確定すること、または、上記ＣＳＩフィードバック配置群の、周期的ＣＳＩフィードバックと非周期的ＣＳＩフィードバックを含むフィードバックモードに基づいて、上記ＣＳＩフィードバック配置群に対応するＣＳＩフィードバック方式を確定することを含む。
【００１７】
任意選択的に、上記ＣＳＩフィードバック配置群に含まれるＣＳＩフィードバック配置の数に基づいて、上記ＣＳＩフィードバック配置群に対応するＣＳＩフィードバック方式を確定することは、上記ＣＳＩフィードバック配置群に１つのＣＳＩフィードバック配置が含まれる場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定すること、または、上記ＣＳＩフィードバック配置群に複数のＣＳＩフィードバック配置が含まれる場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定することを含む。
【００１８】
任意選択的に、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定することは、上記ＣＳＩフィードバック配置群に含まれる全てのＣＳＩフィードバック配置に対するＣＳＩフィードバックが必要である場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、それ以外の場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定することを含む。
【００１９】
任意選択的に、上記ＣＳＩフィードバック配置群のうち、ＣＳＩフィードバックが行われるべくＣＳＩフィードバック配置の数は、予め決められており、または、上記ネットワーク機器によって配置され、または、上記ネットワーク機器から非周期的ＣＳＩフィードバックのトリガーシグナリングに含まれる指示情報によって指示される。
【００２０】
任意選択的に、ＣＳＩフィードバック配置群に対応するフィードバック方式指示情報は、上記ＣＳＩフィードバック配置群に含まれる。
【００２１】
任意選択的に、上記ＣＳＩフィードバック配置群のフィードバックモードに基づいて、上記ＣＳＩフィードバック配置群に対応するＣＳＩフィードバック方式を確定することは、上記ＣＳＩフィードバック配置群のフィードバックモードが周期的ＣＳＩフィードバックである場合、上記ＣＳＩフィードバック配置群に対応するＣＳＩフィードバック方式として、上記ＣＳＩフィードバック配置群のうちの全てのＣＳＩフィードバック配置に対応するＣＳＩをフィードバックする第１フィードバック方式であると確定すること、または、上記ＣＳＩフィードバック配置群のフィードバックモードが非周期的ＣＳＩフィードバックである場合、上記ＣＳＩフィードバック配置群に対応するＣＳＩフィードバック方式として、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式であると確定することを含む。
【００２２】
本公開の実施例は、ネットワーク機器から指示されるチャネル状態情報ＣＳＩフィードバック用のＣＳＩフィードバック配置群を受信するための受信ユニットと、上記ＣＳＩフィードバック配置群に対応するＣＳＩフィードバック方式を確定するための確定ユニットと、上記確定したＣＳＩフィードバック方式に基づいてＣＳＩ測定とフィードバックを行うための処理ユニットとを含む端末を提供する。
【００２３】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【００２４】
任意選択的に、上記処理ユニットは、具体的に、上記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とする。
【００２５】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【００２６】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【００２７】
任意選択的に、上記位置情報と上記ＲＩは、同一サブフレームでフィードバックされる場合、ジョイント符号化またはカスケーディングを経てフィードバックされる。
【００２８】
任意選択的に、上記位置情報と上記ＲＩが同一サブフレームでフィードバックされる場合、上記ＲＩは、上記同一のサブフレームでフィードバックされる上記位置情報に対応する最適なＣＳＩフィードバック配置に基づいて測定をして得られる。
【００２９】
任意選択的に、上記位置情報と上記ＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【００３０】
任意選択的に、上記確定ユニットは、具体的に、上記ＣＳＩフィードバック配置群に含まれるＣＳＩフィードバック配置の数に基づいて、上記ＣＳＩフィードバック配置群に対応するＣＳＩフィードバック方式を確定し、または、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定し、または、受信した非周期的ＣＳＩフィードバックのトリガーシグナリングに含まれるフィードバック方式指示情報に基づいて、上記ＣＳＩフィードバック配置群に対応するＣＳＩフィードバック方式を確定し、または、各々にフィードバック方式指示情報が関連付けられる上記ＣＳＩフィードバック配置群に対応するフィードバック方式指示情報に基づいて、上記ＣＳＩフィードバック配置群に対応するＣＳＩフィードバック方式を確定し、または、上記ＣＳＩフィードバック配置群の、周期的ＣＳＩフィードバックと非周期的ＣＳＩフィードバックを含むフィードバックモードに基づいて、上記ＣＳＩフィードバック配置群に対応するＣＳＩフィードバック方式を確定する。
【００３１】
任意選択的に、上記確定ユニットは、具体的に、上記ＣＳＩフィードバック配置群に１つのＣＳＩフィードバック配置が含まれる場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、または、上記ＣＳＩフィードバック配置群に複数のＣＳＩフィードバック配置が含まれる場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【００３２】
任意選択的に、上記確定ユニットは、具体的に、上記ＣＳＩフィードバック配置群に含まれる全てのＣＳＩフィードバック配置に対するＣＳＩフィードバックが必要である場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、それ以外の場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【００３３】
任意選択的に、上記ＣＳＩフィードバック配置群のうち、ＣＳＩフィードバックが行われるべくＣＳＩフィードバック配置の数は、予め決められており、または、上記ネットワーク機器によって配置され、または、上記ネットワーク機器から非周期的ＣＳＩフィードバックのトリガーシグナリングに含まれる指示情報によって指示される。
【００３４】
任意選択的に、ＣＳＩフィードバック配置群に対応するフィードバック方式指示情報は、上記ＣＳＩフィードバック配置群に含まれる。
【００３５】
任意選択的に、上記確定ユニットは、具体的に、上記ＣＳＩフィードバック配置群のフィードバックモードが周期的ＣＳＩフィードバックである場合、上記ＣＳＩフィードバック配置群に対応するＣＳＩフィードバック方式として、上記ＣＳＩフィードバック配置群のうちの全てのＣＳＩフィードバック配置に対応するＣＳＩをフィードバックする第１フィードバック方式であると確定し、または、上記ＣＳＩフィードバック配置群のフィードバックモードが非周期的ＣＳＩフィードバックである場合、上記ＣＳＩフィードバック配置群に対応するＣＳＩフィードバック方式として、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式であると確定する。
【００３６】
本公開の実施例は、メモリからプログラムを読み出して、ネットワーク機器から指示されるチャネル状態情報ＣＳＩフィードバック用のＣＳＩフィードバック配置群を受信するプロセスと、上記ＣＳＩフィードバック配置群に対応するＣＳＩフィードバック方式を確定するプロセスと、上記確定したＣＳＩフィードバック方式に基づいてＣＳＩ測定とフィードバックを行うプロセスとを実行するためのプロセッサと、プロセッサによる制御でデータを送受信するためのトランシーバとを含む端末を提供する。
【００３７】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【００３８】
任意選択的に、上記プロセッサは、具体的に、上記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とする。
【００３９】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【００４０】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【００４１】
任意選択的に、上記位置情報と上記ＲＩは、同一サブフレームでフィードバックされる場合、ジョイント符号化またはカスケーディングを経てフィードバックされる。
【００４２】
任意選択的に、上記位置情報と上記ＲＩが同一サブフレームでフィードバックされる場合、上記ＲＩは、上記同一のサブフレームでフィードバックされる上記位置情報に対応する最適なＣＳＩフィードバック配置に基づいて測定をして得られる。
【００４３】
任意選択的に、上記位置情報と上記ＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【００４４】
任意選択的に、上記プロセッサは、具体的に、上記ＣＳＩフィードバック配置群に含まれるＣＳＩフィードバック配置の数に基づいて、上記ＣＳＩフィードバック配置群に対応するＣＳＩフィードバック方式を確定し、または、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定し、または、受信した非周期的ＣＳＩフィードバックのトリガーシグナリングに含まれるフィードバック方式指示情報に基づいて、上記ＣＳＩフィードバック配置群に対応するＣＳＩフィードバック方式を確定し、または、各々にフィードバック方式指示情報が関連付けられる上記ＣＳＩフィードバック配置群に対応するフィードバック方式指示情報に基づいて、上記ＣＳＩフィードバック配置群に対応するＣＳＩフィードバック方式を確定し、または、上記ＣＳＩフィードバック配置群の、周期的ＣＳＩフィードバックと非周期的ＣＳＩフィードバックを含むフィードバックモードに基づいて、上記ＣＳＩフィードバック配置群に対応するＣＳＩフィードバック方式を確定する。
【００４５】
任意選択的に、上記プロセッサは、具体的に、上記ＣＳＩフィードバック配置群に１つのＣＳＩフィードバック配置が含まれる場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、または、上記ＣＳＩフィードバック配置群に複数のＣＳＩフィードバック配置が含まれる場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【００４６】
任意選択的に、上記プロセッサは、具体的に、上記ＣＳＩフィードバック配置群に含まれる全てのＣＳＩフィードバック配置に対するＣＳＩフィードバックが必要である場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、それ以外の場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【００４７】
任意選択的に、上記ＣＳＩフィードバック配置群のうち、ＣＳＩフィードバックが行われるべくＣＳＩフィードバック配置の数は、予め決められており、または、上記ネットワーク機器によって配置され、または、上記ネットワーク機器から非周期的ＣＳＩフィードバックのトリガーシグナリングに含まれる指示情報によって指示される。
【００４８】
任意選択的に、ＣＳＩフィードバック配置群に対応するフィードバック方式指示情報は、上記ＣＳＩフィードバック配置群に含まれる。
【００４９】
任意選択的に、上記プロセッサは、具体的に、上記ＣＳＩフィードバック配置群のフィードバックモードが周期的ＣＳＩフィードバックである場合、上記ＣＳＩフィードバック配置群に対応するＣＳＩフィードバック方式として、上記ＣＳＩフィードバック配置群のうちの全てのＣＳＩフィードバック配置に対応するＣＳＩをフィードバックする第１フィードバック方式であると確定し、または、上記ＣＳＩフィードバック配置群のフィードバックモードが非周期的ＣＳＩフィードバックである場合、上記ＣＳＩフィードバック配置群に対応するＣＳＩフィードバック方式として、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式であると確定する。
【００５０】
本公開の実施例は、メモリからプログラムを読み出して、ネットワーク機器から指示されるチャネル状態情報ＣＳＩフィードバック用のＣＳＩフィードバック配置群を受信するプロセスと、上記ＣＳＩフィードバック配置群に対応するＣＳＩフィードバック方式を確定するプロセスと、上記確定したＣＳＩフィードバック方式に基づいてＣＳＩ測定とフィードバックを行うプロセスとを実行するためのプロセッサと、プロセッサによる制御でデータを送受信するためのトランシーバとを含む端末を提供する。
発明の効果
【００５１】
本公開の実施例において、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【図面の簡単な説明】
【００５２】
本公開の実施例の技術手段をより明確に説明するために、以下、実施例の記載に必要とされる図面を簡単に説明する。明らかに、以下の記載に関する図面は、単に本公開の一部の実施例である。当業者にとって、創造性のある作業をしない上で、これらの図面から他の図面を得ることもできる。
【００５３】
【図１ａ】従来技術の水平配列の偏波共用アンテナの模式図である。
【図１ｂ】従来技術の水平配列のリニアアレイアンテナの模式図である。
【図１ｃ】従来技術の水平と垂直の二次元配列の偏波共用アンテナの模式図である。
【図１ｄ】従来技術の水平と垂直の二次元配列のリニアアレイアンテナの模式図である。
【図２】本公開の実施例の端末側によるチャネル状態情報フィードバック方法のフローチャートの模式図である。
【図２ａ】本公開の実施例の端末による位置情報およびＣＳＩのフィードバックのタイムシーケンスの模式図を例示的に示す。
【図２ｂ】本公開の実施例の別の端末による位置情報およびＣＳＩのフィードバックのタイムシーケンスの模式図を例示的に示す。
【図３】本公開の実施例のネットワーク機器によるチャネル状態情報フィードバック方法である。
【図４】本公開の実施例による端末の構造模式図である。
【図５】本公開の実施例によるネットワーク機器の構造模式図である。
【図６】本公開の実施例による別の端末の構造模式図である。
【図７】本公開の実施例による別のネットワーク機器の構造模式図である。
【発明を実施するための形態】
【００５４】
本公開の目的、技術手段および利点をより明確にするために、以下、図面と実施例を参照しながら、本公開をさらに詳細に記載する。ここに記載される具体的な実施例は、本公開の説明のみに用いられ、本公開を限定するためのものではない。
【００５５】
本公開の実施例におけるＣＳＩフィードバック方式は、ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。本公開の実施例におけるＣＳＩフィードバック方式は、上記の「第１フィードバック」および「第２フィードバック方式」のほかに、例えば複数のＣＳＩフィードバック配置に基づいた測定によるＣＳＩをフィードバックするように、他のフィードバック方式であってもよい。
【００５６】
上記の２種類のフィードバック方式において、第１フィードバック方式は、上記ＣＳＩフィードバック配置群のうちの全てのＣＳＩフィードバック配置に基づいた測定によるＣＳＩをフィードバックする必要があるため、コストが比較的に高く、かつ端末にとって複雑度が比較的に高いため、第２フィードバック方式より効率が低い。
【００５７】
ＬＴＥシステムでは、多点協調（Ｃｏｏｒｄｉｎａｔｅｄ  Ｍｕｌｔｉ−ｐｏｉｎｔ：ＣｏＭＰ）をサポートするために、ＣＳＩプロセスの概念が導入されている。各ＣＳＩプロセスは、１つのＮＺＰ  ＣＳＩ−ＲＳ配置と１つの干渉測定リソース（ｉｎｔｅｒｆｅｒｅｎｃｅ  ｍｅａｓｕｒｅｍｅｎｔ  ｒｅｓｏｕｒｃｅ：ＩＭＲ）配置に対応する。端末は、そのうちのＮＺＰ  ＣＳＩ−ＲＳに基づいてチャネル測定を行い、対応するＩＭＲで干渉測定を行うことによって、各プロセスに対応するＣＳＩを取得してフィードバックする。各ＬＴＥ端末では、最大で３つのＣＳＩプロセスを配置してＣＳＩフィードバックに用いることができる。端末によるＣＳＩフィードバックは、物理上りリンク制御チャネル（Ｐｈｙｓｉｃａｌ  Ｕｐｌｉｎｋ  Ｃｏｎｔｒｏｌ  ＣＨａｎｎｅｌ：ＰＵＣＣＨ）に基づく周期的ＣＳＩフィードバックであるか、または、物理上りリンクシェアドチャネル（Ｐｈｙｓｉｃａｌ  Ｕｐｌｉｎｋ  Ｓｈａｒｅｄ  ＣＨａｎｎｅｌ：ＰＵＳＣＨ）に基づく非周期的ＣＳＩフィードバックである。非周期的ＰＵＳＣＨフィードバックの場合、ネットワーク機器は、１つのＣＳＩプロセス集合のうちの各ＣＳＩプロセスに対応するＣＳＩをレポートするよう、端末をトリガーする。ここで、ＣＳＩプロセス集合は、ハイレイヤシグナリングによって予め端末に配置されるが、トリガープロセスは、下り制御情報（Ｄｏｗｎｌｉｎｋ  Ｃｏｎｔｒｏｌ  Ｉｎｄｉｃａｔｏｒ：ＤＣＩ）によって実現される。複数のＣＳＩプロセス集合を配置することにより、異なる垂直フォーミングベクトルによるフォーミング後の複数のＣＳＩ−ＲＳに対応するＣＳＩを端末にフィードバックさせることもできる。本公開の実施例における１つのＣＳＩフィードバック配置群は、１つまたは複数のＣＳＩフィードバック配置を含み、１つまたは複数のＣＳＩプロセスを含んでもよく、このとき、ＣＳＩプロセスとＣＳＩフィードバック配置とは対応関係である。一方、本公開の実施例における１つのＣＳＩフィードバック配置群は、１つのＣＳＩプロセスとして定義されてもよい。１つのＣＳＩフィードバック配置群に複数のＣＳＩフィードバック配置を含む場合、１つのＣＳＩプロセスは、複数のＣＳＩフィードバック配置を含んでもよい。このとき、ＣＳＩプロセスとＣＳＩフィードバック配置群とは一対一の対応関係である。記載しやすいために、本公開の実施例では、１つＣＳＩフィードバック配置群に１つ又は複数のＣＳＩプロセスを含んでもよい例を説明する。
【００５８】
本公開の実施例において、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートするという目的が実現される。
【００５９】
図２に示す本公開の実施例の端末側によるチャネル状態情報フィードバック方法は、ネットワーク機器から指示されるＣＳＩフィードバック用のＣＳＩフィードバック配置群を受信するステップ２０１と、上記ＣＳＩフィードバック配置群に対応するＣＳＩフィードバック方式を確定するステップ２０２と、上記確定したＣＳＩフィードバック方式に基づいてＣＳＩ測定とフィードバックを行うステップ２０３とを含む。
【００６０】
上記ステップ２０１において、ＣＳＩフィードバック用のＣＳＩフィードバック配置群をネットワーク機器から端末に指示する指示情報は、通常、ハイレイヤシグナリングによって送信される。すなわち、ネットワーク機器は、ＣＳＩフィードバック用のＣＳＩフィードバック配置群をハイレイヤシグナリングによって端末に対し配置することができる。
【００６１】
ＣＳＩフィードバック配置群は、以下数種類の特徴のうちの１つまたはその組み合わせを有する。
・ネットワーク機器から指示されるＣＳＩフィードバック用のＣＳＩフィードバック配置群の数は、１つまたは複数である。例えば、ネットワーク機器は、３つのＣＳＩフィードバック配置群を配置する。
・１つのＣＳＩフィードバック配置群に１つまたは複数のＣＳＩフィードバック配置を含み、１つのＣＳＩフィードバック配置は、１つのＣＳＩプロセスであり、または、１つのＮＺＰ  ＣＳＩ−ＲＳ（ＮＺＰ（Ｎｏｎ−Ｚｅｒｏ  Ｐｏｗｅｒ）：非ゼロパワー）；ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）：チャネル状態情報参考信号）リソース配置であり、または、それ以外の下り測定とＣＳＩフィードバック用の１つの信号配置である。例えば、各ＣＳＩフィードバック配置群は、４つのＮＺＰ  ＣＳＩ−ＲＳリソース配置を含む。
・ＣＳＩフィードバック配置群には、上記ＣＳＩフィードバック配置群のうちの全てのＣＳＩフィードバック配置に関連する配置情報を含む。例えば、ＣＳＩフィードバック配置群には、複数のＮＺＰ  ＣＳＩ−ＲＳリソース配置を含むほか、上記複数のＮＺＰ  ＣＳＩ−ＲＳリソース配置に共通に関連するＩＭＲ配置情報をさらに含む。
・マルチキャリアの場合、ネットワーク機器は、搬送波毎に１つのＣＳＩフィードバック配置群を配置し、または、全ての搬送波に１つのＣＳＩフィードバック配置群を配置する。
・異なるＣＳＩフィードバック配置に含まれるＮＺＰ  ＣＳＩ−ＲＳは、異なるフォーミングベクトルでビームフォーミングが行われる。
【００６２】
上記ステップ２０２において、端末によって確定されるフィードバック方式は、上記第１フィードバック方式である可能性もあるし、上記第２フィードバック方式である可能性もある。
【００６３】
具体的に、端末によるＣＳＩフィードバック配置群に対応するＣＳＩフィードバック方式の確定は、以下の数種類を含む。
【００６４】
方式１：ＣＳＩフィードバック配置群に含まれるＣＳＩフィードバック配置の数に基づいて、上記ＣＳＩフィードバック配置群に対応するＣＳＩフィードバック方式を確定する。
【００６５】
具体的に、上記方式１において、ＣＳＩフィードバック配置群に１つのＣＳＩフィードバック配置が含まれる場合、上記ＣＳＩフィードバック配置群に対し、第１フィードバック方式の採用を確定する。または、ＣＳＩフィードバック配置群に複数のＣＳＩフィードバック配置が含まれる場合、上記ＣＳＩフィードバック配置群に対し、第２フィードバック方式の採用を確定する。
【００６６】
方式２：ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定する。
【００６７】
任意選択的に、上記方式２において、上記ＣＳＩフィードバック配置群に含まれる全てのＣＳＩフィードバック配置に対するＣＳＩフィードバックが必要である場合、上記ＣＳＩフィードバック配置群に対し、第１フィードバック方式の採用を確定し、それ以外の場合、上記ＣＳＩフィードバック配置群に対し、第２フィードバック方式の採用を確定する。
【００６８】
任意選択的に、上記方式２において、以下３種類の方式（方式ａ１、方式ａ２、方式ａ３）のうちの１つによって、ＣＳＩフィードバック配置群のうち、ＣＳＩフィードバックが行われるべくＣＳＩフィードバック配置の数を確定する。
【００６９】
方式ａ１：ＣＳＩフィードバック配置群のうち、ＣＳＩフィードバックが行われるべくＣＳＩフィードバック配置の数は、予め決められている。例えば、基準に従い予め設定され、または、ネットワーク機器と端末で他の方式によって予め決められる。このような場合、端末は、上記予め決められる内容で、ＣＳＩフィードバック配置群のうち、ＣＳＩフィードバックが行われるべくＣＳＩフィードバック配置の数を確定する。
【００７０】
方式ａ２：ＣＳＩフィードバック配置群のうち、ＣＳＩフィードバックが行われるべくＣＳＩフィードバック配置の数は、ネットワーク機器によって配置される。任意選択的に、ＣＳＩフィードバック配置群のうち、ＣＳＩフィードバックが行われるべくＣＳＩフィードバック配置の数は、上記ＣＳＩフィードバック配置群のパラメータとして、予め端末に指示される。例えば、ネットワーク機器から指示されるＣＳＩフィードバック用のＣＳＩフィードバック配置群には、上記ＣＳＩフィードバック配置群のうち、ＣＳＩフィードバックが行われるべくＣＳＩフィードバック配置の数も含む。このような場合、端末は、ネットワーク機器から配置される情報に基づいて、ＣＳＩフィードバック配置群のうち、ＣＳＩフィードバックが行われるべくＣＳＩフィードバック配置の数を確定する。
【００７１】
方式ａ３：ＣＳＩフィードバック配置群のうち、ＣＳＩフィードバックが行われるべくＣＳＩフィードバック配置の数は、ネットワーク機器から非周期的ＣＳＩフィードバックのトリガーシグナリングに含まれる指示情報によって指示される。例えば、トリガーシグナリングで１ビットの情報によって、上記ＣＳＩフィードバック配置群のうち、ＣＳＩフィードバックが行われるべくＣＳＩフィードバック配置の数を指示する。
【００７２】
方式３：受信した非周期的ＣＳＩフィードバックのトリガーシグナリングに含まれるフィードバック方式指示情報に基づいて、上記ＣＳＩフィードバック配置群に対応するＣＳＩフィードバック方式を確定する。例えば、トリガーシグナリングで１ビットの情報によって、上記ＣＳＩフィードバック配置群に対応するフィードバック方式が第１フィードバック方式であるか第２フィードバック方式であるかを指示する。
【００７３】
方式４：上記ＣＳＩフィードバック配置群に対応するフィードバック方式指示情報に基づいて、上記ＣＳＩフィードバック配置群に対応するＣＳＩフィードバック方式を確定する。ＣＳＩフィードバック配置群毎に、フィードバック方式指示情報が関連付けられる。
【００７４】
任意選択的に、ＣＳＩフィードバック配置群に対応するフィードバック方式指示情報は、上記ＣＳＩフィードバック配置群に含まれる。すなわち、ＣＳＩフィードバック配置群に対応するフィードバック方式は、上記ＣＳＩフィードバック配置群のパラメータとして予め端末に指示される。すなわち、ネットワーク機器から指示されるＣＳＩフィードバック用のＣＳＩフィードバック配置群には、上記ＣＳＩフィードバック配置群に対応するフィードバック方式も含まれる。
【００７５】
方式５：ＣＳＩフィードバック配置群のフィードバックモードに基づいて、上記ＣＳＩフィードバック配置群に対応するＣＳＩフィードバック方式を確定する。ここで、上記ＣＳＩフィードバック配置群のフィードバックモードは、周期的ＣＳＩフィードバックと非周期的ＣＳＩフィードバックを含む。
【００７６】
任意選択的に、上記方式５において、上記ＣＳＩフィードバック配置群のフィードバックモードが周期的ＣＳＩフィードバックである場合、上記ＣＳＩフィードバック配置群に対応するＣＳＩフィードバック方式が第１フィードバック方式であると確定する。または、上記ＣＳＩフィードバック配置群のフィードバックモードが非周期的ＣＳＩフィードバックである場合、上記ＣＳＩフィードバック配置群に対応するＣＳＩフィードバック方式が第２フィードバック方式であると確定する。
【００７７】
ＣＳＩフィードバック配置群に対応するＣＳＩフィードバック方式を確定する上記５つの方式のうち、方式１、２、５は、暗示的指示方式であり、方式３、４は、明示的指示方式である。
【００７８】
上記ステップ２０３において、確定したＣＳＩフィードバック配置群に対応するＣＳＩフィードバック方式が第１フィードバック方式である場合、端末は、上記第１フィードバック方式によって、上記ＣＳＩフィードバック配置群のうちの全てのＣＳＩフィードバック配置に基づいた測定によるＣＳＩをフィードバックする。確定したＣＳＩフィードバック方式が第２フィードバック方式である場合、端末は、上記第２フィードバック方式によって、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする。端末は、周期的ＣＳＩフィードバック、または非周期的ＣＳＩフィードバックを採用する。
【００７９】
端末は、上記第２フィードバック方式でＣＳＩ測定とフィードバックを行うと確定すると、ＣＳＩフィードバック配置群から最適なＣＳＩフィードバック配置を選択し、以下の方式ｂ１、方式ｂ２、方式ｂ３のうちの一つを含む。
方式ｂ１：ＣＳＩフィードバック配置群のうちの各ＣＳＩフィードバック配置に対し、参考信号受信電力（Ｒｅｆｅｒｅｎｃｅ  Ｓｉｇｎａｌ  Ｒｅｃｅｉｖｉｎｇ  Ｐｏｗｅｒ：ＲＳＲＰ）測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とする。
方式ｂ２：ＣＳＩフィードバック配置群のうちの各ＣＳＩフィードバック配置に対し、チャネル品質指標（Ｃｈａｎｎｅｌｓ  ｑｕａｌｉｔｙ  ｉｎｄｉｃａｔｉｏｎ：ＣＱＩ）推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とする。
方式ｂ３：ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズ（Ｔｒａｎｓｐｏｒｔ  Ｂｌｏｃｋ  ｓｉｚｅ：ＴＢｓｉｚｅ）を取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とする。
【００８０】
端末は、上記第２フィードバック方式の採用を確定すると、端末において第２フィードバック方式によって、最適なＣＳＩフィードバック配置の上記ＣＳＩフィードバック配置群における位置情報をフィードバックする。その際に、上記位置情報は、多種類の表現方式があり、以下２種類の好適な表現方式を説明する。
【００８１】
位置表現方式その１：最適なＣＳＩフィードバック配置の上記ＣＳＩフィードバック配置群における位置情報は、具体的に、最適なＣＳＩフィードバック配置の上記ＣＳＩフィードバック配置群におけるインデックスである。すなわち、端末は、最適なＣＳＩフィードバック配置の上記ＣＳＩフィードバック配置群におけるインデックスをレポートする。
【００８２】
位置表現方式その２：ビットマップ（ｂｉｔｍａｐ）方式を採用する。すなわち、各ＣＳＩフィードバック配置群が１つの位置系列に対応する。上記ＣＳＩフィードバック配置群における各ＣＳＩフィードバック配置は、上記位置系列において１つの位置に対応し、すなわち、上記ＣＳＩフィードバック配置群における各ＣＳＩフィードバック配置は、上記位置系列において１つのビットに対応する。最適なＣＳＩフィードバック配置の上記ＣＳＩフィードバック配置群における位置情報は、具体的に、最適なＣＳＩフィードバック配置の上記ＣＳＩフィードバック配置群の位置系列における対応位置のビット値である。例えば、最適なＣＳＩフィードバック配置の上記ＣＳＩフィードバック配置群の位置系列における対応位置のビット値を１とし、上記位置系列のほかの位置のビット値を０としたとき、上記位置系列におけるビット値によって、最適なＣＳＩフィードバック配置の上記ＣＳＩフィードバック配置群における位置情報を確定することができる。
【００８３】
周期的ＣＳＩフィードバックの場合、確定したＣＳＩフィードバック方式が第２フィードバック方式であると、ＣＳＩフィードバック配置群から最適なＣＳＩフィードバック配置を選択し、上記ＣＳＩフィードバック配置群のうちの最適なＣＳＩフィードバック配置に基づいた測定によるＣＳＩを周期的にフィードバックするとともに、上記最適なＣＳＩフィードバック配置の上記ＣＳＩフィードバック配置群における位置情報を周期的にフィードバックする。ここで、端末からレポートされるＣＳＩには、ランク指標（Ｒａｎｋ  Ｉｎｄｉｃａｔｉｏｎ：ＲＩ）、プリコーディングマトリクス指示（Ｐｒｅｃｏｄｉｎｇ  Ｍａｔｒｉｘ  Ｉｎｄｉｃａｔｏｒ：ＰＭＩ）、ＣＱＩのうちのいずれか１つまたは複数を含む。
【００８４】
第２フィードバック方式でフィードバックされるＣＳＩにおけるＲＩを、フィードバックされる最新の位置情報に応じて迅速に更新させることによって、フィードバックされるＲＩとフィードバックされる位置情報とは整合しない場合にＦＤ−ＭＩＭＯ性能に影響を与える問題を避けるために、本公開の実施例において、第２フィードバック方式に対し以下の好適な技術手段を提供する。
【００８５】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにＲＩが含まれると、位置情報のフィードバック周期は、ＲＩのフィードバック周期のＮ（Ｎは正整数である）倍であり、かつ位置情報のＰＵＣＣＨリソース位置は、ＲＩのＰＵＣＣＨリソース位置とは同一である。
【００８６】
具体的に、Ｎが１である場合、すなわち位置情報のＰＵＣＣＨリソース位置とＲＩのＰＵＣＣＨリソース位置とは完全に同一である。このとき、第２フィードバック方式でフィードバックされる位置情報とフィードバックされるＣＳＩにおけるＲＩとは常に同時にフィードバックされる。Ｎが１ではなく４であり、かつ第２フィードバック方式でフィードバックされるＣＳＩにおけるＲＩのフィードバック周期をＴとすると、第２フィードバック方式で位置情報のフィードバック周期は、４Ｔである。すなわち、２回の位置情報とＲＩの同時フィードバックの間に、ＲＩのみを３回フィードバックする必要がある。
【００８７】
即ち、第２フィードバック方式で、位置情報のフィードバックが必要である場合、同時にＲＩもフィードバックしなければならない。一方、ＲＩは、位置情報との同時フィードバックのほかに、単独のフィードバックもできる。
【００８８】
任意選択的に、上記位置情報と上記ＲＩは、同一サブフレームでフィードバックされる場合、ジョイント符号化またはカスケーディングを経てフィードバックされる。
【００８９】
具体的に、同一サブフレームでＲＩと位置情報をフィードバックする場合、シグナリングコスト軽減のために、フィードバックが行われるべく位置情報とＲＩのジョイント符号化またはカスケーディングをして、上記フィードバックが行われるべく位置情報とＲＩに対応する新規の指示情報、例えば新規のコードを取得してから、上記新規の指示情報をフィードバックする。ネットワーク機器は、上記新規の指示情報を受信すると、上記ジョイント符号化のルールまたはカスケーディングのルールに基づいて、上記新規の指示情報に対応する位置情報とＲＩを確定する。
【００９０】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。このように、同一サブフレームでフィードバックされるＲＩと上記サブフレームでフィードバックされる位置情報との整合を確保し、ＦＤ−ＭＩＭＯの性能に影響を与えることを回避できる。
【００９１】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。具体的に、２回の位置情報のフィードバックの間にＲＩのみをフィードバックする場合、上記ＲＩは、最近フィードバックされる位置情報に対応する最適なＣＳＩフィードバック配置に基づいてＣＳＩ測定をして得られる。ここで、「最近フィードバックされる位置情報」とは、具体的に、前回のＲＩフィードバック時点に最も近い位置情報フィードバック時点のフィードバックの位置情報であり、即ち、時間的に最新のフィードバックの位置情報である。よって、位置情報とＲＩが異なるサブフレームでフィードバックされる場合、フィードバックされるＲＩとフィードバックされる最新の位置情報との整合を確保し、ＦＤ−ＭＩＭＯの性能に影響を与えることを回避できる。
【００９２】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにＰＭＩおよび／またはＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる。
【００９３】
具体的に、ＰＭＩと位置情報を異なるサブフレームでフィードバックし、または、ＣＱＩと位置情報を異なるサブフレームでフィードバックし、または、ＰＭＩ、ＣＱＩ、位置情報を異なるサブフレームでフィードバックする場合、フィードバックされるＰＭＩおよび／またはＣＱＩは、最近フィードバックされる位置情報に対応する最適なＣＳＩフィードバック配置に基づいてＣＳＩ測定をして得られる。ＰＭＩと位置情報を同一サブフレームでフィードバックし、または、ＣＱＩと位置情報を同一サブフレームでフィードバックし、または、ＰＭＩ、ＣＱＩ、位置情報を同一サブフレームでフィードバックする場合、フィードバックされるＰＭＩおよび／またはＣＱＩは、上記同一サブフレームでフィードバックされる位置情報に対応する最適なＣＳＩフィードバック配置に基づいてＣＳＩ測定をして得られる。
【００９４】
一方、フィードバックされるＣＳＩのうち、ＲＩ以外の情報、例えばＰＭＩおよび／またはＣＱＩがフィードバックの際にフィードバックされる位置情報と矛盾して一部の情報をドロップ（ｄｒｏｐ）することが必要となると、ＣＳＩにおけるＲＩ以外の情報をドロップして、ＣＳＩにおけるＲＩと位置情報をフィードバックする。例えば、同一サブフレームでＰＭＩおよび／またはＣＱＩ、及びＲＩと位置情報を送信する場合、上記サブフレームでこれら多くの情報をベアラー（ｂｅａｒｅｒ）しきれないため、一部の情報をドロップする必要がある。このとき、ＣＳＩにおけるＲＩと位置情報以外の情報、例えばＰＭＩおよび／またはＣＱＩをドロップする。
【００９５】
本公開の実施例は、上記方式によって、第２フィードバック方式に基づく周期的ＣＳＩフィードバックに好適な手段を提供した。上記手段によれば、第２フィードバック方式で周期的にフィードバックされるＲＩとフィードバックされる最新の位置情報との整合を確保し、ＦＤ−ＭＩＭＯの性能に影響を与えることを回避できる。
【００９６】
上記ステップ２０３の後に、ネットワーク機器は、端末からフィードバックされるＣＳＩを受信し、上記端末からフィードバックされるＣＳＩに基づいて下りデータ伝送を行い、または、上記端末からフィードバックされるＣＳＩに基づいて、ＣＳＩフィードバック配置情報を更新する。
【００９７】
以上の記載によれば、ネットワーク機器は、端末の採用すべきフィードバック方式をＣＳＩフィードバック配置群によって明示的指示方式または暗示的指示方式で端末に指示する。端末は、ＣＳＩフィードバック配置群を受信した後に、確定された上記ＣＳＩフィードバック配置群に対応するＣＳＩフィードバック方式がネットワーク機器にサポートされるＣＳＩフィードバック方式であることによって、ネットワーク機器にサポートされるＣＳＩフィードバック方式に基づいてＣＳＩ測定とフィードバックを行うことが実現できる。
【００９８】
一方、端末は、ネットワーク機器のＦＤ−ＭＩＭＯモードと非ＦＤ−ＭＩＭＯモードでのＣＳＩフィードバック方式を同時にサポートし、さらにネットワーク機器は、フィードバックされるＣＳＩに基づいて最適な垂直フォーミングベクトルを確定し、上記最適な垂直フォーミングベクトルを用いてビームフォーミングを行うことができる。例えば、本公開の実施例は、非周期的ＣＳＩフィードバックによって、複数の群から最適なＮＺＰ  ＣＳＩ−ＲＳを選択し、各群の最適なＮＺＰ  ＣＳＩ−ＲＳを後続の周期的または非周期的なＣＳＩフィードバックのために配置し、ＣｏＭＰ＋ＦＤ−ＭＩＭＯにおけるＣＳＩフィードバックをサポートする。
【００９９】
さらに、本公開の上記実施例は、優れた後方互換性を有する。具体的に、ＣＳＩフィードバック配置群にＣＳＩフィードバック配置が１つしか含まれない場合、または、端末が第１フィードバック方式で上記ＣＳＩフィードバック配置群のうちの全てのＣＳＩフィードバック配置に基づいた測定によるＣＳＩをフィードバックする場合、本公開の実施例における端末のＣＳＩをフィードバックする方式は、従来技術のフィードバック方式とは一致する。
【０１００】
以下、具体的に下記２つの実施例を提供して本公開の実施例による方法を説明する。
【０１０１】
実施例１
【０１０２】
ネットワーク機器は、周期的ＣＳＩフィードバック用の２つのＣＳＩフィードバック配置群をハイレイヤシグナリングによって端末に指示し、各ＣＳＩフィードバック配置群に１つまたは複数のＮＺＰ  ＣＳＩ−ＲＳ配置と１つのＩＭＲ配置を含む。各ＣＳＩフィードバック配置群のうちの異なるＮＺＰ  ＣＳＩ−ＲＳは、異なる垂直フォーミングベクトルを用いてフォーミングを行う。
【０１０３】
端末は、上記配置を受信すると、各ＣＳＩフィードバック配置群のうちのＮＺＰ  ＣＳＩ−ＲＳの数に基づいてフィードバック方式を確定する。ここで、１つの配置群にＮＺＰ  ＣＳＩ−ＲＳが１つ含まれる場合、端末は、上記ＮＺＰ  ＣＳＩ−ＲＳと配置群のうちのＩＭＲ配置に基づいて、ＣＳＩ測定とレポートを行う。端末からレポートされるＣＳＩには、ＲＩ、ＰＭＩ、ＣＱＩのうちのいずれか１つまたは複数を含む。１つの配置群に複数のＮＺＰ  ＣＳＩ−ＲＳが含まれる場合、端末は、複数のＮＺＰ  ＣＳＩ−ＲＳから最適なＮＺＰ  ＣＳＩ−ＲＳを１つ選択してＣＳＩ測定に用いる。例えば、端末は、各ＮＺＰ  ＣＳＩ−ＲＳ測定によるＲＳＲＰに基づいて、最適なＣＳＩ−ＲＳを選択し、選択したＣＳＩ−ＲＳと配置群のうちのＩＭＲ配置に基づいて、ＣＳＩ測定を行い、測定し得たＲＩ、ＰＭＩ、ＣＱＩのうちのいずれか１つまたは複数をフィードバックする。また、選択したＮＺＰ  ＣＳＩ−ＲＳの配置群における全てのＮＺＰ  ＣＳＩ−ＲＳでのインデックスをレポートする必要もある。
【０１０４】
実施例２
【０１０５】
ネットワーク機器は、非周期的ＣＳＩフィードバック用の３つのＣＳＩフィードバック配置群をハイレイヤシグナリングによって端末に指示し、各ＣＳＩフィードバック配置群に１つまたは複数のＮＺＰ  ＣＳＩ−ＲＳ配置を含む。ここで、ＣＳＩフィードバック配置群１とＣＳＩフィードバック配置群２において、各配置群は、１つの伝送点に対応し、かつ１つのＣＳＩフィードバック配置群内の異なるＮＺＰ  ＣＳＩ−ＲＳリソースは、異なる垂直フォーミングベクトルを用いてフォーミングを行う。ＣＳＩフィードバック配置群３において、異なるＮＺＰ  ＣＳＩ−ＲＳリソース配置は、異なる伝送点に対応する。
【０１０６】
ネットワーク機器は、各ＣＳＩフィードバック配置群に対し、対応するフィードバック方式を同時に配置する。ここで、ＣＳＩフィードバック配置群１とＣＳＩフィードバック配置群２は、第２フィードバック方式を採用し、ＣＳＩフィードバック配置群３は、第１フィードバック方式を採用する。各ＣＳＩフィードバック配置群のフィードバック方式は、１ビットのシグナリングによって指示され、かつ対応するＣＳＩフィードバック配置群の配置情報とともに端末に指示される。
【０１０７】
ネットワーク機器は、端末による非周期的ＣＳＩフィードバックをＤＣＩによってトリガーする。上記トリガーシグナリングには、２ビットの情報を含む。指示の内容は、表１に示される。
【０１０８】
【表１】
0006581216.tif 000002
【０１０９】
端末は、トリガーシグナリングを受信すると、ＣＳＩフィードバック配置群毎にＣＳＩ測定とフィードバックを行う。ここで、上記ＣＳＩフィードバック配置群のＣＳＩ測定とフィードバックの方式は、上記配置群に予め配置されたフィードバック方式によって得られる。例えば、ネットワーク機器は、２ビット情報の「１０」によって、ＣＳＩフィードバック配置群３に基づいたＣＳＩ測定によるＣＳＩをフィードバックするように端末をトリガーすると、端末は、ＣＳＩフィードバック配置群３のうちの各ＮＺＰ  ＣＳＩ−ＲＳに基づいてそれぞれＣＳＩ測定を行い、ＣＳＩフィードバック配置群３に基づいたＣＳＩ測定によるＣＳＩをフィードバックする必要がある。
【０１１０】
ネットワーク機器は、端末からフィードバックされる非周期的ＣＳＩを受信し、上記端末からフィードバックされるＣＳＩに基づいて、下りデータ伝送を行い、または、上記端末からフィードバックされるＣＳＩに基づいて、ＣＳＩフィードバック配置情報を更新する。例えば、ネットワーク機器は、ＣＳＩフィードバック配置群１とＣＳＩフィードバック配置群２のうちの最適なＮＺＰ  ＣＳＩ−ＲＳのインデックスをレポートするように端末をトリガーし、取得した各群のうちの最適なＮＺＰ  ＣＳＩ−ＲＳ配置を、ＣＳＩフィードバック配置群３のうちのＣＳＩフィードバック配置とすることによって、端末は、後続において各伝送点のうち最適なＮＺＰ  ＣＳＩ−ＲＳ配置に対応するＣＳＩのみをフィードバックする。
【０１１１】
実施例３
【０１１２】
図２ａは、本公開の実施例の端末による位置情報とＣＳＩのフィードバックのタイムシーケンスを例示的に示す。図２ａを参照しながら以下のように説明する。基地局は、周期的ＣＳＩフィードバック用のＣＳＩフィードバック配置群（本実施例において、ＣＳＩフィードバック配置群は、ＣＳＩフィードバック配置集合に定義されてもよい。）をハイレイヤシグナリングによって端末に指示し、ＣＳＩフィードバック配置群に複数のＮＺＰ  ＣＳＩ−ＲＳ配置と１つの共通するＩＭＲ配置を含む。ここで、異なるＮＺＰ  ＣＳＩ−ＲＳは、異なる垂直フォーミングベクトルを用いてフォーミングを行う。
【０１１３】
端末は、上記ＣＳＩフィードバック配置群を受信すると、ＣＳＩフィードバック配置群の複数のＮＺＰ  ＣＳＩ−ＲＳから最適なＮＺＰ  ＣＳＩ−ＲＳを１つ選択してＣＳＩ測定に用いる。例えば、端末は、各ＮＺＰ  ＣＳＩ−ＲＳ測定によるＲＳＲＰに基づいて最適なＮＺＰ  ＣＳＩ−ＲＳを選択し、選択したＮＺＰ  ＣＳＩ−ＲＳと配置群のうちのＩＭＲ配置に基づいてＣＳＩ測定を行い、ＲＩ、ＰＭＩ、ＣＱＩを取得する。
【０１１４】
端末は、選択したＮＺＰ  ＣＳＩ−ＲＳの上記ＣＳＩフィードバック配置群のうちの全てのＮＺＰ  ＣＳＩ−ＲＳでの位置情報（例えばインデックス）を、上記選択した最適なＮＺＰ  ＣＳＩ−ＲＳに基づいて算出したＲＩとともに基地局にレポートする。図２ａに示すように、インデックス１とＲＩは、時間（ｔｉｍｅ）軸上の時間ｔ１１に同時にレポートされ、インデックス２とＲＩは、時間ｔ１７に同時にレポートされる。同時に、端末は、インデックス１をレポートした後でインデックス２をレポートする前に、時間ｔ１２、ｔ１３に順にＰＭＩおよび／またはＣＱＩをレポートし、時間ｔ１４にＲＩのみをレポートし、時間ｔ１５、ｔ１６にＰＭＩおよび／またはＣＱＩをレポートする。時間ｔ１１〜時間ｔ１７にレポートされるＰＭＩおよび／またはＣＱＩおよびＲＩは、いずれも上記ＣＳＩフィードバック配置群のうち、インデックス１に対応する最適なＣＳＩフィードバック配置に基づいて測定して得られる。端末は、時間ｔ１７にインデックス２をレポートした後に再びレポートされるＣＳＩのうちの情報は、いずれも上記ＣＳＩフィードバック配置群のうち、インデックス２に対応する最適なＣＳＩフィードバック配置に基づいて測定して得られる。図２ａに示すように、時間ｔ１８にレポートされるＰＭＩおよび／またはＣＱＩは、上記ＣＳＩフィードバック配置群のうち、インデックス２に対応する最適なＣＳＩフィードバック配置に基づいて測定して得られる。
【０１１５】
実施例４
【０１１６】
図２ｂは、本公開の実施例の別の端末による位置情報とＣＳＩのフィードバックのタイムシーケンスを例示的に示す。図２ｂを参照しながら以下のように説明する。基地局は、周期的ＣＳＩフィードバック用のＣＳＩフィードバック配置群をハイレイヤシグナリングによって端末に指示し、上記ＣＳＩフィードバック配置群に複数のＣＳＩプロセスを含み、各ＣＳＩプロセスに１つのＮＺＰ  ＣＳＩ−ＲＳ配置と１つのＩＭＲ配置を含む。
【０１１７】
端末は、上記ＣＳＩフィードバック配置群を受信すると、上記ＣＳＩフィードバック配置群の複数のＣＳＩプロセスから最適なＣＳＩプロセスを１つ選択してＣＳＩ測定に用いる。例えば、端末は、各ＣＳＩプロセスに基づいてＣＱＩ推定を行い、最大ＣＱＩに対応するＣＳＩプロセスを選択して最適なＣＳＩプロセスとし、選択した最適なＣＳＩプロセスに基づいてＣＳＩ測定を行い、ＲＩとＣＱＩを取得する。
【０１１８】
端末は、選択したＣＳＩプロセスの上記ＣＳＩフィードバック配置群のうちの全てのＣＳＩプロセスでの位置情報（例えばインデックス）を、上記選択した最適なＣＳＩプロセスに基づいて算出したＲＩとともに基地局にレポートする。図２ｂに示すように、インデックス１とＲＩは、時間ｔ２１に同時にレポートされ、インデックス２とＲＩは、ｔ２４に同時にレポートされ、インデックス３とＲＩは、ｔ２７に同時にレポートされる。同時に、端末は、インデックス１をレポートした後でインデックス２をレポートする前に、時間ｔ２２、ｔ２３に順にＣＱＩをレポートする。時間ｔ２１〜時間ｔ２４にレポートされるＣＱＩは、いずれも上記ＣＳＩフィードバック配置群のうち、インデックス１に対応する最適なＣＳＩプロセスに基づいて測定して得られる。端末は、インデックス２をレポートした後でインデックス３をレポートする前に、時間ｔ２５、ｔ２６に順にＣＱＩをレポートする。時間ｔ２４〜時間ｔ２７にレポートされるＣＱＩは、いずれも上記ＣＳＩフィードバック配置群のうち、インデックス２に対応する最適なＣＳＩプロセスに基づいて測定して得られる。端末は、時間ｔ２７にインデックス３をレポートした後に再びレポートされるＣＳＩのうちの情報は、いずれも上記ＣＳＩフィードバック配置群のうち、インデックス３に対応する最適なＣＳＩプロセスに基づいて測定して得られる。図２ｂに示すように、時間ｔ２８にレポートされるＣＱＩは、上記ＣＳＩフィードバック配置群のうち、インデックス３に対応する最適なＣＳＩプロセスに基づいて測定して得られる。
【０１１９】
上述の内容によれば、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【０１２０】
同一思想に基づいて、図３の本公開の実施例のネットワーク機器によるチャネル状態情報フィードバック方法は、ＣＳＩフィードバック用のＣＳＩフィードバック配置群をネットワーク機器から端末に指示するステップ３０１と、ネットワーク機器が、端末からフィードバックされる、確定した上記ＣＳＩフィードバック配置群に対応するＣＳＩフィードバック方式に基づいたＣＳＩ測定によるＣＳＩを受信するステップ３０２とを含む。
【０１２１】
上記ステップ３０１において、ＣＳＩフィードバック用のＣＳＩフィードバック配置群をネットワーク機器から端末に指示する指示情報は、通常、ハイレイヤシグナリングによって送信される。すなわち、ネットワーク機器は、ＣＳＩフィードバック用のＣＳＩフィードバック配置群をハイレイヤシグナリングによって端末に対し配置することができる。ネットワーク機器から指示されるＣＳＩフィードバック配置群に複数種類の好適な特徴を有するが、以上で詳細に記載したため、ここで省略する。
【０１２２】
上記ステップ３０２において、任意選択的に、ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【０１２３】
上記第２フィードバック方式において、最適なＣＳＩフィードバック配置の上記ＣＳＩフィードバック配置群における位置情報は、多種類の表現方式があり、以下２種類の好適な表現方式を説明する。
【０１２４】
位置表現方式その１：最適なＣＳＩフィードバック配置の上記ＣＳＩフィードバック配置群における位置情報は、具体的に、最適なＣＳＩフィードバック配置の上記ＣＳＩフィードバック配置群におけるインデックスである。
【０１２５】
位置表現方式その２：上記ＣＳＩフィードバック配置群における各ＣＳＩフィードバック配置は、上記位置系列において１つの位置に対応し、最適なＣＳＩフィードバック配置の上記ＣＳＩフィードバック配置群における位置情報は、具体的に、最適なＣＳＩフィードバック配置の上記ＣＳＩフィードバック配置群の位置系列における対応位置のビット値である。
【０１２６】
上記ステップ３０２において、任意選択的に、端末は、上記ＣＳＩフィードバック配置群に対応するＣＳＩフィードバック方式を確定する。以上で詳細に記載したため、ここで簡単に記載する。
【０１２７】
方式１：端末は、上記ＣＳＩフィードバック配置群に含まれるＣＳＩフィードバック配置の数に基づいて、上記ＣＳＩフィードバック配置群に対応するＣＳＩフィードバック方式を確定する。
【０１２８】
方式２：端末は、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定する。
【０１２９】
任意選択的に、上記方式２において、上記ＣＳＩフィードバック配置群に含まれる全てのＣＳＩフィードバック配置に対するＣＳＩフィードバックが必要である場合、上記ＣＳＩフィードバック配置群に対し第１フィードバック方式の採用を確定し、それ以外の場合、上記ＣＳＩフィードバック配置群に対し第２フィードバック方式の採用を確定する。
【０１３０】
任意選択的に、上記方式２において、以下３種類の方式（方式ａ１、方式ａ２、方式ａ３）のうちの１つによって、ＣＳＩフィードバック配置群のうち、ＣＳＩフィードバックが行われるべくＣＳＩフィードバック配置の数を確定する。
【０１３１】
方式ａ１：ＣＳＩフィードバック配置群のうち、ＣＳＩフィードバックが行われるべくＣＳＩフィードバック配置の数は、予め決められている。例えば、基準に従い予め設定され、または、ネットワーク機器と端末で他の方式によって予め決められる。このような場合、端末は、上記予め決められる内容で、ＣＳＩフィードバック配置群のうち、ＣＳＩフィードバックが行われるべくＣＳＩフィードバック配置の数を確定する。
【０１３２】
方式ａ２：ＣＳＩフィードバック配置群のうち、ＣＳＩフィードバックが行われるべくＣＳＩフィードバック配置の数は、ネットワーク機器によって配置される。任意選択的に、ＣＳＩフィードバック配置群のうち、ＣＳＩフィードバックが行われるべくＣＳＩフィードバック配置の数は、上記ＣＳＩフィードバック配置群のパラメータとして、予め端末に指示される。例えば、ネットワーク機器から指示されるＣＳＩフィードバック用のＣＳＩフィードバック配置群には、上記ＣＳＩフィードバック配置群のうち、ＣＳＩフィードバックが行われるべくＣＳＩフィードバック配置の数も含む。このような場合、端末は、ネットワーク機器によって配置される情報に基づいて、ＣＳＩフィードバック配置群のうち、ＣＳＩフィードバックが行われるべくＣＳＩフィードバック配置の数を確定する。
【０１３３】
方式ａ３：ＣＳＩフィードバック配置群のうち、ＣＳＩフィードバックが行われるべくＣＳＩフィードバック配置の数は、ネットワーク機器から非周期的ＣＳＩフィードバックのトリガーシグナリングに含まれる指示情報によって指示される。例えば、トリガーシグナリングで１ビットの情報によって、上記ＣＳＩフィードバック配置群のうち、ＣＳＩフィードバックが行われるべくＣＳＩフィードバック配置の数を指示する。
【０１３４】
方式３：受信した非周期的ＣＳＩフィードバックのトリガーシグナリングに含まれるフィードバック方式指示情報に基づいて、上記ＣＳＩフィードバック配置群に対応するＣＳＩフィードバック方式を確定する。
【０１３５】
方式４：端末は、上記ＣＳＩフィードバック配置群に対応するフィードバック方式指示情報に基づいて、上記ＣＳＩフィードバック配置群に対応するＣＳＩフィードバック方式を確定する。ＣＳＩフィードバック配置群毎に、フィードバック方式指示情報が関連付けられる。任意選択的に、ネットワーク機器から指示されるＣＳＩフィードバック用のＣＳＩフィードバック配置群には、上記ＣＳＩフィードバック配置群に対応するフィードバック方式をさらに含む。
【０１３６】
任意選択的に、ＣＳＩフィードバック配置群に対応するフィードバック方式指示情報は、上記ＣＳＩフィードバック配置群に含まれる。すなわち、ＣＳＩフィードバック配置群に対応するフィードバック方式は、上記ＣＳＩフィードバック配置群のパラメータとして予め端末に指示される。すなわち、ネットワーク機器から指示されるＣＳＩフィードバック用のＣＳＩフィードバック配置群には、上記ＣＳＩフィードバック配置群に対応するフィードバック方式も含まれる。
【０１３７】
方式５：上記ＣＳＩフィードバック配置群のフィードバックモードに基づいて、上記ＣＳＩフィードバック配置群に対応するＣＳＩフィードバック方式を確定する。ここで、上記ＣＳＩフィードバック配置群のフィードバックモードは、周期的ＣＳＩフィードバックと非周期的ＣＳＩフィードバックを含む。任意選択的に、ネットワーク機器は、周期的ＣＳＩフィードバックを行うか、非周期的ＣＳＩフィードバックを行うかを、シグナリングによって端末に配置する。
【０１３８】
任意選択的に、上記方式５において、上記ＣＳＩフィードバック配置群のフィードバックモードが周期的ＣＳＩフィードバックである場合、上記ＣＳＩフィードバック配置群に対応するＣＳＩフィードバック方式が第１フィードバック方式であると確定する。または、上記ＣＳＩフィードバック配置群のフィードバックモードが非周期的ＣＳＩフィードバックである場合、上記ＣＳＩフィードバック配置群に対応するＣＳＩフィードバック方式が第２フィードバック方式であると確定する。
【０１３９】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにＲＩが含まれると、位置情報のフィードバック周期は、ＲＩのフィードバック周期のＮ（Ｎは正整数である）倍であり、かつ位置情報の物理上りリンク制御チャネルＰＵＣＣＨリソース位置は、ＲＩのＰＵＣＣＨリソース位置とは同一である。
【０１４０】
任意選択的に、上記位置情報と上記ＲＩは、同一サブフレームでフィードバックされる場合、ジョイント符号化またはカスケーディングを経てフィードバックされる。
【０１４１】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。
【０１４２】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【０１４３】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにプリコーディングマトリクス指示ＰＭＩおよび／またはチャネル品質指標ＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる。
【０１４４】
上記ステップ３０２において、ネットワーク機器は、端末からフィードバックされるＣＳＩを受信した後に、上記端末からフィードバックされるＣＳＩに基づいて下りデータ伝送を行い、または、上記端末からフィードバックされるＣＳＩに基づいて、ＣＳＩフィードバック配置情報を更新する。
【０１４５】
以上記載によれば、ネットワーク機器は、ＣＳＩフィードバック用のＣＳＩフィードバック配置群を端末に指示し、端末は、上記ＣＳＩフィードバック配置群を受信した後に、上記ＣＳＩフィードバック配置群に対応するＣＳＩフィードバック方式を確定することによって、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートすることが実現できる。
【０１４６】
同一思想に基づき、図４は、上記方法のフローを実行するための端末を例示的に示す。図４に示すように、本公開の実施例による端末は、ネットワーク機器から指示されるチャネル状態情報ＣＳＩフィードバック用のＣＳＩフィードバック配置群を受信するための受信ユニット４０１と、上記ＣＳＩフィードバック配置群に対応するＣＳＩフィードバック方式を確定するための確定ユニット４０２と、上記確定したＣＳＩフィードバック方式に基づいてＣＳＩ測定とフィードバックを行うための処理ユニット４０３とを含む。
【０１４７】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【０１４８】
任意選択的に、上記処理ユニット４０３は、具体的に、上記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とする。
【０１４９】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【０１５０】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【０１５１】
任意選択的に、上記位置情報と上記ＲＩは、同一サブフレームでフィードバックされる場合、ジョイント符号化またはカスケーディングを経てフィードバックされる。
【０１５２】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。
【０１５３】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【０１５４】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにプリコーディングマトリクス指示ＰＭＩおよび／またはチャネル品質指標ＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる
【０１５５】
任意選択的に、上記確定ユニット４０２は、具体的に、上記ＣＳＩフィードバック配置群に含まれるＣＳＩフィードバック配置の数に基づいて、上記ＣＳＩフィードバック配置群に対応するＣＳＩフィードバック方式を確定し、または、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定し、または、受信した非周期的ＣＳＩフィードバックのトリガーシグナリングに含まれるフィードバック方式指示情報に基づいて、上記ＣＳＩフィードバック配置群に対応するＣＳＩフィードバック方式を確定し、または、各々にフィードバック方式指示情報が関連付けられる上記ＣＳＩフィードバック配置群に対応するフィードバック方式指示情報に基づいて、上記ＣＳＩフィードバック配置群に対応するＣＳＩフィードバック方式を確定し、または、上記ＣＳＩフィードバック配置群の、周期的ＣＳＩフィードバックと非周期的ＣＳＩフィードバックを含むフィードバックモードに基づいて、上記ＣＳＩフィードバック配置群に対応するＣＳＩフィードバック方式を確定する。
【０１５６】
任意選択的に、上記確定ユニット４０２は、具体的に、上記ＣＳＩフィードバック配置群に１つのＣＳＩフィードバック配置が含まれる場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、または、上記ＣＳＩフィードバック配置群に複数のＣＳＩフィードバック配置が含まれる場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【０１５７】
任意選択的に、上記確定ユニット４０２は、具体的に、上記ＣＳＩフィードバック配置群に含まれる全てのＣＳＩフィードバック配置に対するＣＳＩフィードバックが必要である場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、それ以外の場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【０１５８】
任意選択的に、上記ＣＳＩフィードバック配置群のうち、ＣＳＩフィードバックが行われるべくＣＳＩフィードバック配置の数は、予め決められており、または、上記ネットワーク機器によって配置され、または、上記ネットワーク機器から非周期的ＣＳＩフィードバックのトリガーシグナリングに含まれる指示情報によって指示される。
【０１５９】
任意選択的に、ＣＳＩフィードバック配置群に対応するフィードバック方式指示情報は、上記ＣＳＩフィードバック配置群に含まれる。
【０１６０】
任意選択的に、上記確定ユニット４０２は、具体的に、上記ＣＳＩフィードバック配置群のフィードバックモードが周期的ＣＳＩフィードバックである場合、上記ＣＳＩフィードバック配置群に対応するＣＳＩフィードバック方式として、上記ＣＳＩフィードバック配置群のうちの全てのＣＳＩフィードバック配置に対応するＣＳＩをフィードバックする第１フィードバック方式であると確定し、または、上記ＣＳＩフィードバック配置群のフィードバックモードが非周期的ＣＳＩフィードバックである場合、上記ＣＳＩフィードバック配置群に対応するＣＳＩフィードバック方式として、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式であると確定する。
【０１６１】
上記の内容によれば、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【０１６２】
同一思想に基づき、図５は、上記方法のフローを実行するためのネットワーク機器を例示的に示す。図５に示すように、本公開の実施例によるネットワーク機器は、端末に指示するチャネル状態情報ＣＳＩフィードバック用のＣＳＩフィードバック配置群を送信するための送信ユニット５０１と、確定した上記ＣＳＩフィードバック配置群に対応するＣＳＩフィードバック方式に基づいたＣＳＩ測定によるＣＳＩを端末から受信するための受信ユニット５０２と、受信した上記端末からフィードバックされるＣＳＩに基づいて下りデータ伝送を行い、または、上記端末からフィードバックされるＣＳＩに基づいて、ＣＳＩフィードバック配置情報を更新するための処理ユニット５０３とを含む。
【０１６３】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【０１６４】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【０１６５】
任意選択的に、上記送信ユニット５０１は、具体的に、ＣＳＩフィードバック配置群のうち、ＣＳＩフィードバックが行われるべくＣＳＩフィードバック配置の数を端末に指示する。任意選択的に、ＣＳＩフィードバック配置群のうち、ＣＳＩフィードバックが行われるべくＣＳＩフィードバック配置の数を、ＣＳＩフィードバック配置群に付帯して予め端末に指示する。
【０１６６】
任意選択的に、上記送信ユニット５０１は、具体的に、ＣＳＩフィードバック配置群に対応するフィードバック方式指示情報を端末に指示して、端末は、上記ＣＳＩフィードバック配置群に対応するフィードバック方式指示情報に基づいて、上記ＣＳＩフィードバック配置群に対応するフィードバック方式を確定する。各ＣＳＩフィードバック配置群には、フィードバック方式指示情報が関連付けられている。
【０１６７】
任意選択的に、上記送信ユニット５０１は、具体的に、上記ＣＳＩフィードバック配置群のフィードバックモードを端末に指示して、端末は、上記ＣＳＩフィードバック配置群のフィードバックモードに基づいて、上記ＣＳＩフィードバック配置群に対応するＣＳＩフィードバック方式を確定する。ここで、上記ＣＳＩフィードバック配置群のフィードバックモードは、周期的ＣＳＩフィードバックと非周期的ＣＳＩフィードバックを含む。
【０１６８】
任意選択的に、送信ユニット５０１は、非周期的ＣＳＩフィードバックのトリガーシグナリングに含まれる指示情報によって、ＣＳＩフィードバック配置群のうち、ＣＳＩフィードバックが行われるべくＣＳＩフィードバック配置の数を端末に指示する。
【０１６９】
任意選択的に、ＣＳＩフィードバック配置群に対応するフィードバック方式指示情報は、上記ＣＳＩフィードバック配置群に含まれる。送信ユニット５０１は、上記ＣＳＩフィードバック配置群を端末に指示することによって、上記ＣＳＩフィードバック配置群に対応するフィードバック方式指示情報を予め端末に指示する。
【０１７０】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにランク指標ＲＩが含まれると、位置情報のフィードバック周期は、ＲＩのフィードバック周期のＮ（Ｎは正整数である）倍であり、かつ位置情報の物理上りリンク制御チャネルＰＵＣＣＨリソース位置は、ＲＩのＰＵＣＣＨリソース位置とは同一である。
【０１７１】
任意選択的に、上記位置情報と上記ＲＩは、同一サブフレームでフィードバックされる場合、ジョイント符号化またはカスケーディングを経てフィードバックされる。
【０１７２】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。
【０１７３】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【０１７４】
任意選択的に、確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにプリコーディングマトリクス指示ＰＭＩおよび／またはチャネル品質指標ＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる。
【０１７５】
上記の内容によれば、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【０１７６】
同一思想に基づき、図６は、上記方法のフローを実行するための端末を例示的に示す。図６に示すように、本公開の実施例による端末は、プロセッサ６００と、プロセッサ６００による制御でデータを送受信するためのトランシーバ６０１と、メモリ６０２とを含む。ここで、プロセッサ６００は、メモリ６０２からプログラムを読み出して、ネットワーク機器から指示されるチャネル状態情報ＣＳＩフィードバック用のＣＳＩフィードバック配置群を受信するプロセスと、上記ＣＳＩフィードバック配置群に対応するＣＳＩフィードバック方式を確定するプロセスと、上記確定したＣＳＩフィードバック方式に基づいてＣＳＩ測定とフィードバックを行うプロセスとを実行する。
【０１７７】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【０１７８】
任意選択的に、上記プロセッサ６００は、具体的に、上記ＣＳＩフィードバック配置群のうちの各ＣＳＩフィードバック配置に対し、参考信号受信電力ＲＳＲＰ測定を行い、確定した１つまたは複数のＲＳＲＰのうち最大値のＲＳＲＰに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、チャネル品質指標ＣＱＩ推定を行い、確定した１つまたは複数のＣＱＩのうち最大値のＣＱＩに対応するＣＳＩフィードバック配置を、上記ＣＳＩフィードバック配置群のうちの最適なＣＳＩフィードバック配置とし、または、上記ＣＳＩフィードバック配置群のうちの各ＣＳＩフィードバック配置に対し、ＣＳＩ測定を行い、上記ＣＳＩ測定の結果に基づいて、各ＣＳＩフィードバック配置に対応する伝送ブロックサイズＴＢｓｉｚｅを取得し、確定した１つまたは複数のＴＢｓｉｚｅのうち最大値のＴＢｓｉｚｅに対応するＣＳＩフィードバック配置を、上記ＣＳＩフィードバック配置群のうちの最適なＣＳＩフィードバック配置とする。
【０１７９】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【０１８０】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【０１８１】
任意選択的に、上記位置情報と上記ＲＩは、同一サブフレームでフィードバックされる場合、ジョイント符号化またはカスケーディングを経てフィードバックされる。
【０１８２】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。
【０１８３】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【０１８４】
任意選択的に、確定したＣＳＩフィードバック方式が第２フィードバック方式であり、かつフィードバックされるＣＳＩフィードバック配置群のうちの最適なＣＳＩフィードバック配置に基づいた測定によるＣＳＩにプリコーディングマトリクス指示ＰＭＩおよび／またはチャネル品質指標ＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる。
【０１８５】
任意選択的に、上記プロセッサ６００は、具体的に、上記ＣＳＩフィードバック配置群に含まれるＣＳＩフィードバック配置の数に基づいて、上記ＣＳＩフィードバック配置群に対応するＣＳＩフィードバック方式を確定し、または、上記ＣＳＩフィードバック配置群のうち、ＣＳＩフィードバックが行われるべくＣＳＩフィードバック配置の数に基づいて、上記ＣＳＩフィードバック配置群に対応するＣＳＩフィードバック方式を確定し、または、受信した非周期的ＣＳＩフィードバックのトリガーシグナリングに含まれるフィードバック方式指示情報に基づいて、上記ＣＳＩフィードバック配置群に対応するＣＳＩフィードバック方式を確定し、または、各々にフィードバック方式指示情報が関連付けられる上記ＣＳＩフィードバック配置群に対応するフィードバック方式指示情報に基づいて、上記ＣＳＩフィードバック配置群に対応するＣＳＩフィードバック方式を確定し、または、上記ＣＳＩフィードバック配置群の、周期的ＣＳＩフィードバックと非周期的ＣＳＩフィードバックを含むフィードバックモードに基づいて、上記ＣＳＩフィードバック配置群に対応するＣＳＩフィードバック方式を確定する。
【０１８６】
任意選択的に、上記プロセッサ６００は、具体的に、上記ＣＳＩフィードバック配置群に１つのＣＳＩフィードバック配置が含まれる場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、または、上記ＣＳＩフィードバック配置群に複数のＣＳＩフィードバック配置が含まれる場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【０１８７】
任意選択的に、上記プロセッサ６００は、具体的に、上記ＣＳＩフィードバック配置群に含まれる全てのＣＳＩフィードバック配置に対するＣＳＩフィードバックが必要である場合、上記ＣＳＩフィードバック配置群に対し、上記ＣＳＩフィードバック配置群のうちの全てのＣＳＩフィードバック配置に対応するＣＳＩをフィードバックする第１フィードバック方式の採用を確定し、それ以外の場合、上記ＣＳＩフィードバック配置群に対し、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式の採用を確定する。
【０１８８】
任意選択的に、上記ＣＳＩフィードバック配置群のうち、ＣＳＩフィードバックが行われるべくＣＳＩフィードバック配置の数は、予め決められており、または、上記ネットワーク機器によって配置され、または、上記ネットワーク機器から非周期的ＣＳＩフィードバックのトリガーシグナリングに含まれる指示情報によって指示される。
【０１８９】
任意選択的に、ＣＳＩフィードバック配置群に対応するフィードバック方式指示情報は、上記ＣＳＩフィードバック配置群に含まれる。
【０１９０】
任意選択的に、上記プロセッサ６００は、具体的に、上記ＣＳＩフィードバック配置群のフィードバックモードが周期的ＣＳＩフィードバックである場合、上記ＣＳＩフィードバック配置群に対応するＣＳＩフィードバック方式として、上記ＣＳＩフィードバック配置群のうちの全てのＣＳＩフィードバック配置に対応するＣＳＩをフィードバックする第１フィードバック方式であると確定し、または、上記ＣＳＩフィードバック配置群のフィードバックモードが非周期的ＣＳＩフィードバックである場合、上記ＣＳＩフィードバック配置群に対応するＣＳＩフィードバック方式として、上記ＣＳＩフィードバック配置群のうちの最適なＣＳＩフィードバック配置に対応するＣＳＩおよび上記最適なＣＳＩフィードバック配置の上記ＣＳＩフィードバック配置群における位置情報をフィードバックする第２フィードバック方式であると確定する。
【０１９１】
ここで、図６において、バスアーキテクチャは、任意数の相互接続するバスとブリッジを含み、具体的に、プロセッサ６００をはじめとする１つ又は複数のプロセッサとメモリ６０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６０１は、複数の部品であってもよく、即ち送信機と受信機を含み、伝送媒体でほかの各種類の装置と通信するユニットとして提供される。プロセッサ６００は、バスアーキテクチャと通常の処理を管理する。メモリ６０２は、プロセッサ６００による作業時に使用されるデータを記憶できる。
【０１９２】
上記の内容によれば、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【０１９３】
同一思想に基づき、図７は、上記方法のフローを実行するためのネットワーク機器を例示的に示す。図７に示すように、本公開の実施例によるネットワーク機器は、プロセッサ７００と、プロセッサ７００による制御でデータを送受信するためのトランシーバ７０１と、メモリ７０２とを含む。ここで、プロセッサ７００は、メモリ７０２からプログラムを読み出して、端末に指示するチャネル状態情報ＣＳＩフィードバック用のＣＳＩフィードバック配置群を送信するプロセスと、確定した上記ＣＳＩフィードバック配置群に対応するＣＳＩフィードバック方式に基づいたＣＳＩ測定によるＣＳＩを端末から受信するプロセスと、受信した上記端末からフィードバックされるＣＳＩに基づいて下りデータ伝送を行い、または、上記端末からフィードバックされるＣＳＩに基づいて、ＣＳＩフィードバック配置情報を更新するプロセスを実行する。
【０１９４】
任意選択的に、上記ＣＳＩフィードバック方式は、上記ＣＳＩフィードバック配置群のうちの全てのＣＳＩフィードバック配置に基づいた測定によるＣＳＩをフィードバックする第１フィードバック方式と、上記ＣＳＩフィードバック配置群から最適なＣＳＩフィードバック配置を選択し、上記ＣＳＩフィードバック配置群のうちの最適なＣＳＩフィードバック配置に基づいた測定によるＣＳＩおよび上記最適なＣＳＩフィードバック配置の上記ＣＳＩフィードバック配置群における位置情報をフィードバックする第２フィードバック方式とを含む。
【０１９５】
任意選択的に、上記最適なＣＳＩフィードバック配置の上記ＣＳＩフィードバック配置群における位置情報は、具体的に、最適なＣＳＩフィードバック配置の上記ＣＳＩフィードバック配置群におけるインデックスであり、または、最適なＣＳＩフィードバック配置の上記ＣＳＩフィードバック配置群の位置系列における対応位置のビット値であり、上記ＣＳＩフィードバック配置群のうちの各ＣＳＩフィードバック配置は、上記位置系列における１つの位置に対応する。
【０１９６】
任意選択的に、上記確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにランク指標ＲＩが含まれると、上記位置情報のフィードバック周期は、上記ＲＩのフィードバック周期のＮ（Ｎは正整数である）倍であり、かつ上記位置情報の物理上りリンク制御チャネルＰＵＣＣＨリソース位置は、上記ＲＩのＰＵＣＣＨリソース位置とは同一である。
【０１９７】
任意選択的に、上記位置情報と上記ＲＩは、同一サブフレームでフィードバックされる場合、ジョイント符号化またはカスケーディングを経てフィードバックされる。
【０１９８】
任意選択的に、位置情報とＲＩが同一サブフレームでフィードバックされる場合、ＲＩは、上記同一のサブフレームでフィードバックされる位置情報に対応する最適なＣＳＩフィードバック配置に基づいて測定をして得られる。
【０１９９】
任意選択的に、位置情報とＲＩが異なるサブフレームでフィードバックされる場合、フィードバックされるＲＩは、最近フィードバックされる位置情報に対応する最適なＣＳＩフィードバック配置に基づいてＣＳＩ測定をして得られる。
【０２００】
任意選択的に、確定したＣＳＩフィードバック方式が第２フィードバック方式であり、かつフィードバックされる上記ＣＳＩフィードバック配置群のうちの最適なＣＳＩフィードバック配置に基づいた測定によるＣＳＩにプリコーディングマトリクス指示ＰＭＩおよび／またはチャネル品質指標ＣＱＩが含まれると、フィードバックされるＰＭＩおよび／またはＣＱＩは、最近フィードバックされる位置情報に対応する最適なＣＳＩフィードバック配置に基づいてＣＳＩ測定をして得られる。
【０２０１】
任意選択的に、上記プロセッサ７００は、具体的に、ＣＳＩフィードバック配置群のうち、ＣＳＩフィードバックが行われるべくＣＳＩフィードバック配置の数を端末に指示する。任意選択的に、ＣＳＩフィードバック配置群のうち、ＣＳＩフィードバックが行われるべくＣＳＩフィードバック配置の数を、ＣＳＩフィードバック配置群に付帯して予め端末に指示する。
【０２０２】
任意選択的に、上記プロセッサ７００は、具体的に、ＣＳＩフィードバック配置群に対応するフィードバック方式指示情報を端末に指示して、端末は、上記ＣＳＩフィードバック配置群に対応するフィードバック方式指示情報に基づいて、上記ＣＳＩフィードバック配置群に対応するフィードバック方式を確定する。各ＣＳＩフィードバック配置群には、フィードバック方式指示情報が関連付けられている。
【０２０３】
任意選択的に、上記プロセッサ７００は、具体的に、上記ＣＳＩフィードバック配置群のフィードバックモードを端末に指示して、端末は、上記ＣＳＩフィードバック配置群のフィードバックモードに基づいて、上記ＣＳＩフィードバック配置群に対応するＣＳＩフィードバック方式を確定する。ここで、上記ＣＳＩフィードバック配置群のフィードバックモードは、周期的ＣＳＩフィードバックと非周期的ＣＳＩフィードバックを含む。
【０２０４】
任意選択的に、プロセッサ７００は、非周期的ＣＳＩフィードバックのトリガーシグナリングに含まれる指示情報によって、ＣＳＩフィードバック配置群のうち、ＣＳＩフィードバックが行われるべくＣＳＩフィードバック配置の数を端末に指示する。
【０２０５】
任意選択的に、ＣＳＩフィードバック配置群に対応するフィードバック方式指示情報は、上記ＣＳＩフィードバック配置群に含まれる。プロセッサ７００は、上記ＣＳＩフィードバック配置群を端末に指示することによって、上記ＣＳＩフィードバック配置群に対応するフィードバック方式指示情報を予め端末に指示する。
【０２０６】
ここで、図７において、バスアーキテクチャは、任意数の相互接続するバスとブリッジを含み、具体的に、プロセッサ７００をはじめとする１つ又は複数のプロセッサとメモリ７０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７０１は、複数の部品であってもよく、即ち送信機と受信機を含み、伝送媒体でほかの各種類の装置と通信するユニットとして提供される。プロセッサ７００は、バスアーキテクチャと通常の処理を管理する。メモリ７０２は、プロセッサ７００による作業時に使用されるデータを記憶できる。
【０２０７】
上記の内容によれば、ネットワーク機器からＣＳＩフィードバック用のＣＳＩフィードバック配置群を端末に指示し、端末は、上記ＣＳＩフィードバック配置群を受信すると、上記ＣＳＩフィードバック配置群に対応するＣＳＩフィードバック方式を確定する。それによって、端末は、ネットワーク機器によって配置されるＣＳＩフィードバック配置群に基づいてＣＳＩ測定とフィードバックを行い、さらにネットワーク機器のＦＤ−ＭＩＭＯモードと非ＦＤ−ＭＩＭＯモードでのＣＳＩフィードバック方式を同時にサポートする目的が実現される。
【０２０８】
本公開の実施例は、方法、またはコンピュータプログラムプロダクトとして提供されうると当業者が理解できる。従って、本公開は、完全にハードウェアの実施例、完全にソフトウェアの実施例、またはソフトウェアとハードウェアを組み合わせた実施例の形態を取り得る。しかも、本公開は、コンピュータ利用可能なプログラムコードを含む１つまたは複数のコンピュータ利用可能な記憶媒体（磁気ディスクメモリ、光学メモリなどを含むが、それらに限らない）で実施されるコンピュータプログラムプロダクトの形態を取り得る。
【０２０９】
本公開は、本公開の実施例による方法、デバイス（システム）およびコンピュータプログラムプロダクトのフロー図および／またはブロック図を参照にして記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０２１０】
これらのコンピュータプログラムコマンドは、コンピュータまたは他のプログラマブルデータ処理デバイスに特定の方式で動作させることを導けるコンピュータ読み出し可能なメモリに格納されてもよく、上記コンピュータ読み出し可能なメモリに格納されるコマンドにより、コマンド装置を含むプロダクトを形成する。上記コマンド装置は、フロー図の１つまたは複数のフローおよび／またはブロック図の１つまたは複数のブロックで指定される機能を実現する。
【０２１１】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０２１２】
本公開の好適な実施例を記載したが、当業者は、基本的な創造性概念をいったん知ると、これらの実施例に対し別の変更や修正をすることができる。従って、添付の特許請求の範囲は、好適な実施例および本公開の範囲に入る全ての変更や修正を含むことを意図とする。
【０２１３】
明らかに、当業者は、本公開の精神や範囲を逸脱せずに、本公開に対して様々な変更や変形をすることができる。このように、本公開のこれらの修正や変形が本公開の請求項およびその同等の技術範囲に含まれるものであれば、本公開は、これらの変更や変形を含むことを意図とする。
【図１ａ】
0006581216.tif 000003
【図１ｂ】
0006581216.tif 000004
【図１ｃ】
0006581216.tif 000005
【図１ｄ】
0006581216.tif 000006
【図２】
0006581216.tif 000007
【図２ａ】
0006581216.tif 000008
【図２ｂ】
0006581216.tif 000009
【図３】
0006581216.tif 000010
【図４】
0006581216.tif 000011
【図５】
0006581216.tif 000012
【図６】
0006581216.tif 000013
【図７】
0006581216.tif 000014